(57)【特許請求の範囲】
【請求項１】
肛門から直腸内に挿入される筒体の先端に直腸内で拡がる保護体を設け、同保護体内空間に回転体を回動自在に取付けるとともに、同回転体にワイヤを張設し、ワイヤによって保護体内の腸内物を小さく切断する排便装置であって、回転体が筒体内に収まり、しかも回転体の中心から偏心した位置に回転軸を取付け、同回転軸を軸方向に進退できるようにし、筒体先端から出してから回転軸まわりに回転体を回動させて広い領域で切断できるようにした、排便装置。
【請求項２】
筒体内部が吸引ポンプ装置と接続されて負圧状態にでき、筒体の先端開口から小さくされた腸内物を吸引して筒体外へ排出できるようにした請求項１記載の排便装置。
【請求項３】
筒体の外周に二つの膨縮自在なバルーンを周設し、筒体の固定と腸内物の筒体と肛門の外周から洩れないようにした請求項１又は２何れか記載の排便装置。
【発明の詳細な説明】
【０００１】
【発明の属する技術分野】
本発明は、腸内の排出できにくい宿便の強制排出、及び自己排便力の弱い人、又は失なわれた人（老人・病人）の為の直腸内の腸内物（便）の強制排便装置である。
【０００２】
【従来の技術】
従来、腸内の排出しにくい宿便等の固形状の腸内物は、医師・看護士が肛門から指を挿入し、指でもって強制的に排出するようにしていた。この方法は、手間と熟練を要する作業であった。
本出願人は、これを解消すべく、筒体を肛門から挿入し、ポンプで筒体内を負圧にして腸内物を吸引排出しながら、筒体の先端に腸内物を破砕・掻き出す機構を設けて、硬くなった便を小さく破砕して吸引して排出する装置を開発した。
この開発した装置でも便の破砕が不充分な場合があった。
【０００３】
【発明が解決しようとする課題】
本発明が解決しようとする課題は、従来の問題点を解消し、腸内物の破砕・分断能力が高い排便装置を提供することにある。
【０００４】
【課題を解決するための手段】
かかる課題を解決した本発明の構成は、
１）  肛門から直腸内に挿入される筒体の先端に直腸内で拡がる保護体を設け、同保護体内空間に回転体を回動自在に取付けるとともに、同回転体にワイヤを張設し、ワイヤによって保護体内の腸内物を小さく切断する排便装置であって、回転体が筒体内に収まり、しかも回転体の中心から偏心した位置に回転軸を取付け、同回転軸を軸方向に進退できるようにし、筒体先端から出してから回転軸まわりに回転体を回動させて広い領域で切断できるようにした、排便装置
２）  筒体内部が吸引ポンプ装置と接続されて負圧状態にでき、筒体の先端開口から小さくされた腸内物を吸引して筒体外へ排出できるようにした前記１）記載の排便装置
３）  筒体の外周に二つの膨縮自在なバルーンを周設し、筒体の固定と腸内物の筒体と肛門の外周から洩れないようにした前記１）又は２）何れか記載の排便装置
にある。
【０００５】
【作用】
本発明では、回転体が直腸内の開いた保護体内で回転すると、回転体に張架された細いワイヤが腸内物を切断し、小さくする。ワイヤは、板状の破砕刃・掻き込み具に比べ腸内物内に抵抗少なく挿入でき、小さなトルクでワイヤで腸内物を切断・分断できる。よって破砕・分断能力が高く、排便能力を高めている。
又、ワイヤの張架している回転体の中心から偏心位置に回転軸を取付けると回転体・ワイヤは、筒体の先方の保護体内で筒体外径より広く運動して、保護体内の腸内物を広い範囲破断できる。
【０００６】
【発明の実施の形態】
本発明のワイヤは、プラスチック製ワイヤ・ステンレスワイヤが使用でき、又その張架の方向は、回転中心からコーン頂角を異にするように複数本のワイヤをコーン状に傾斜させるように張架するもの、水平に複数段に先端方向に向って位置を変えて張架するもの、先端方向に縦にその回転中心からの離れ具合（半径）を変えて張架するもの、ランダムに傾斜状態に張架するものがある。これらの一例を図５に示している。又このワイヤを張架する構造・回動構造は、その張架に合せた構造が採用される。
【０００７】
【実施例】
以下、本発明の一実施例を図面に基いて説明する。本実施例は、筒体が２重筒体となっていて、内筒に回転軸が軸支され、同回転軸の先端にこれから偏心した位置に中心がある回転基枠を取付けている。同回転基枠の中心に中央支柱を突設している。プラスチック製ワイヤが中央支柱の先端部と回転基枠の半径を異にする位置に張架している。回転軸は、筒体の基端と脱着自在なモータを用いた駆動部で回転させられている。
図１は、実施例の使用状態の正面図である。
図２は、実施例の要部を示す説明図である。
図３は、実施例の平面図である。
図４は、実施例の挿入状態を示す説明図である。
図中、１は実施例の排便装置、２は筒体、２ａは筒体２の外筒、２ｂは同外筒内にピストン状に進退する内筒、２ｃは可動骨４ａの突起４ｃと係合し、横方向に規制している内筒２ｂ先端の係合溝、３は内筒２ｂの中心から少し偏心した位置で軸支されている回転軸、４は外筒１に開閉自在に取付けられた保護体、４ａは保護体の可動骨、４ｂは可動骨と接着されて可動骨間に張架された保護膜、４ｃは可動骨の内筒２ｂの先端と接衝して可動骨を外方に拡げるための突起、５は回転軸３の先端に取付けられた回転基枠、５ａは回転基枠の中心線、６は同回転基枠の中心に先端方向に突出させた中央主柱、７は中央支柱６と回転基枠との間で張架されたプラスチック製ワイヤ、８は回転軸３を基端で脱着自在なモータを用いた駆動部、９は内筒２ｂの内部の排出口、１０は膨縮自在なバルーン、１０ａはバルーン空気注排出用エアチューブ、１１は排出口９と接続された排出チューブ、１２は正送運転できるスクイズ式吸引ポンプ、１３は腸内物収容容器、１４はデンプン質を使用した水溶性キャップ、１５は温水タンク、１６は切換器、１７は温水送給ポンプである。
この実施例では、肛門から筒体２を挿入するときは、先端の保護体４を閉じて水溶性のキャップ１４を被せて肛門から直腸へ挿入し、２つのバルーン１０に空気を送って膨張させ、このバルーンによって筒体２を肛門に固定し、且つ水密状にして腸内物が筒体２の外周から洩れないようにする。
次に、温水送給ポンプ１７を作動させて、切換器１６を切換え、内筒２ｂの排出口９から温水を送り込み、保護体４の先端キャップ１４を温水で溶かし、キャップ１４を除去する。その後内筒２ｂを先端方向に押し込むと内筒２ｂの先端の係合溝２ｃが保護体４の可動骨４ａの突起４ｃを押圧し、可動骨４ａを外方へ回転させて拡げる。又、中央主柱６とワイヤ７群を保護体４内の先方へ押し進める。その後切換器１６を吸引ポンプ１２側へ切換え、吸引ポンプ１２を作動させる。
この状態で駆動部８を作動させて回転軸３を回転させると偏心した中心を有する回転基枠５と中央主柱６が回転軸３まわりに回転し、複数本のワイヤ７が保護体４内の腸内物を切断する。回転基枠は、内筒２ｂ内にあるがそこから突出して回転すると、外筒２ａ外径より遠くまで回転させられて広い範囲破断できる。ワイヤ７及び中央主柱６は細いので挿入、回転に伴う抵抗は小さく且つよく切断できるものとなる。
又内筒２ｂの排出口９は吸引ポンプ１２に接続されていて、内筒２ｂ内には負圧が発生するので細片化された腸内物は内筒２ｂの先端開口から吸引され、排出チューブ１１を介して腸内物収容容器１３に収納される。
【０００８】
【発明の効果】
以上の様に、本発明によれば回転体にワイヤを複数張架することで回転体の回転によってワイヤが腸内物を切断して細片化することができる。しかもワイヤは腸内物の挿入及び切断のときの抵抗が少ないので容易に且つ効率的に腸内物を切断できる。
筒体の先端の開いた保護体内でワイヤが回転するようにするので、腸壁を傷つけることがなく腸内物を破断できる。
ワイヤを筒体の中心から偏心した位置で回転させているので、筒体の径より広い範囲の腸内物の切断・破砕ができる。
【図面の簡単な説明】
【図１】実施例の使用状態の正面図である。
【図２】実施例の要部を示す説明図である。
【図３】実施例の平面図である。
【図４】実施例の挿入状態を示す説明図である。
【図５】本発明のワイヤの張架例を示す説明図である。
【符号の説明】
１  排便装置
２  筒体
２ａ  外筒
２ｂ  内筒
３  回転軸
４  保護体
４ａ  可動骨
４ｂ  保護膜
４ｃ  突起
５  回転基枠
５ａ  中心線
６  中央主柱
７  ワイヤ
８  駆動部
９  排出口
１０  バルーン
１０ａ  エアチューブ
１１  排出チューブ
１２  吸引ポンプ
１３  腸内物収容容器
１４  水溶性キャップ
１５  温水タンク
１６  切換器
１７  温水送給ポンプ
【図１】
0003615975.tif 000002
【図２】
0003615975.tif 000003
【図３】
0003615975.tif 000004
【図４】
0003615975.tif 000005
【図５】
0003615975.tif 000006